(57)【要約】【課題】本発明は、商品の購入意欲を削ぐことのなく、入札者の参加意欲の向上に寄与することがでるオークションシステムを提供することにある。【解決手段】主催サーバ１３は、商品に関する入札内容を表す情報とともに最低販売点数と最低入札価格を表すホームページを入札者の通信端末に送信し、入札者の通信端末から入札者ＩＤと複数の異なる入札価格を受信し、入札者の通信端末から受信した入札者ＩＤと複数の異なる入札価格と入札日時をデータベースに登録し、データベースに登録されている入札者ＩＤと複数の異なる入札価格と入札日時に基づいて、最低販売点数に相当する上位の入札価格を優先して落札と決定し、落札者の入札者ＩＤが同一の場合には低い方のみを落札と決定し、入札した価格が同一の場合には入札日時が早い方を落札と決定するように落札処理を行う。【選択図】      図１
2005018267.tif 000002
【特許請求の範囲】
【請求項１】
入札者の通信端末と情報ネットワークを介して接続し、商品に関する入札内容の情報を含むホームページを前記通信端末に送信して商品の入札サービスを提供するサーバを備えたオークションシステムであって、
前記サーバは、
少なくとも商品に関する入札内容を表す情報とともに最低販売点数と最低入札価格を表すホームページを入札者の通信端末に送信する送信手段と、
入札者の通信端末から入札者ＩＤと複数の異なる入札価格を受信する受信手段と、
入札者の通信端末から受信した入札者ＩＤと複数の異なる入札価格と入札日時をデータベースに登録するデータ登録手段と、
前記データベースに登録されている入札者ＩＤと複数の異なる入札価格と入札日時に基づいて、最低販売点数に相当する上位の入札価格を優先して落札と決定し、落札者の入札者ＩＤが同一の場合には低い方のみを落札と決定し、入札した価格が同一の場合には入札日時が早い方を落札と決定するように落札処理を行う落札処理手段とを有することを特徴とするオークションシステム。
【請求項２】
前記データ登録手段により前記登録が終了した場合に、残入札可能人数から１を引いて新たな残入札可能人数として計数する計数手段を有し、
前記送信手段は、前記計数手段により計数された新たな残入札可能人数をホームページに提示することを特徴とする請求項１記載のオークションシステム。
【発明の詳細な説明】
【０００１】
【発明の属する技術分野】
本発明は、オークションシステムに関し、特に、情報ネットワークを介して商品のオークションを行うオークションシステムに関する。
【０００２】
【従来の技術】
近年、情報通信の発展に伴い、例えばインターネットを介して商品のオークションが行われるようになってきた。
【０００３】
この従来のオークションシステムにおいては、ＷＷＷサーバは、ホームページ上に、商品情報、当該商品の品数、現在の最高入札金額、入札者数等の情報を含む競り画面を入札者に提示し、さらに、入札者に商品の入札価格の入力を促しておく。そして、入札者から商品に関する入札価格が入力された場合には、一旦記憶部に記憶しておき、所定期間内に入力された入札価格の中から上位の入札価格を品数分だけ落札価格として選択する。
【０００４】
そして、ＷＷＷサーバは、落札したことを表す情報を当該落札者に提示し、落札者に購入の意志を確認し、購入の意志がある落札者が加入する金融機関からオークション主催者の所定口座に落札価格の支払いを要求していた。
【０００５】
このような従来のオークションシステムとしては、例えば特許文献１に開示されたものがある。
【０００６】
【特許文献１】
特開２００３−１５０８２２
【０００７】
【発明が解決しようとする課題】
しかしながら、従来のオークション方法にあっては、入札者が多数いるにも拘わらず、落札価格分の売り上げや、１商品に対する数％の落札手数料のみ利益に貢献しているので、十分な売り上げを確保し難いといった問題があった。
【０００８】
また、従来のオークション方法にあっては、落札価格が商品の仕入れ価格を下回り原価割れした場合には、出品者が差額分を負担しなければならないといった問題があった。
【０００９】
さらに、従来のオークション方法にあっては、競り画面に現在の最高入札金額を提示しているので、刻々と上昇する最高入札価格を確認して入札を断念する者も現れ、結果としてオークションでの売り上げを低下させるといった問題があった。
【００１０】
このため、商品の購入意欲を削ぐことなく、販売店における商品の実売価格よりも低い価格で購入可能なサービスが要望されている。
【００１１】
本発明は、上記に鑑みてなされたもので、その目的としては、商品の購入意欲を削ぐことのなく、入札者の参加意欲の向上に寄与することがでるオークションシステムを提供することにある。
【００１２】
【課題を解決するための手段】
請求項１記載の発明は、上記課題を解決するため、入札者の通信端末と情報ネットワークを介して接続し、商品に関する入札内容の情報を含むホームページを前記通信端末に送信して商品の入札サービスを提供するサーバを備えたオークションシステムであって、前記サーバは、少なくとも商品に関する入札内容を表す情報とともに最低販売点数と最低入札価格を表すホームページを入札者の通信端末に送信する送信手段と、入札者の通信端末から入札者ＩＤと複数の異なる入札価格を受信する受信手段と、入札者の通信端末から受信した入札者ＩＤと複数の異なる入札価格と入札日時をデータベースに登録するデータ登録手段と、前記データベースに登録されている入札者ＩＤと複数の異なる入札価格と入札日時に基づいて、最低販売点数に相当する上位の入札価格を優先して落札と決定し、落札者の入札者ＩＤが同一の場合には低い方のみを落札と決定し、入札した価格が同一の場合には入札日時が早い方を落札と決定するように落札処理を行う落札処理手段とを有することを要旨とする。
【００１３】
請求項２記載の発明は、上記課題を解決するため、前記データ登録手段により前記登録が終了した場合に、残入札可能人数から１を引いて新たな残入札可能人数として計数する計数手段を有し、前記送信手段は、前記計数手段により計数された新たな残入札可能人数をホームページに提示することを要旨とする。
【００１４】
【発明の実施の形態】
以下、本発明の実施の形態を図面を参照して説明する。
【００１５】
図１は、本発明の一実施の形態に係るオークションシステムに適用可能なオークションシステムの構成を示す図である。まず、図１を参照してシステム構成について説明する。
【００１６】
図１に示すように、インターネット１１には、オークションを主催するオークション主催サーバ１３と、例えば複数のユーザ宅に設けられたそれぞれのユーザ端末１５とが接続可能である。
【００１７】
オークション主催サーバ（以下、主催サーバという）１３には、商品のサプライヤー企業から提供可能な商品情報や、商品の品数、実勢価格に加え、オークション会社が予め設定した最低入札価格等の情報を含むホームページデータが予め後述するデータベースに記憶されている。
【００１８】
なお、ユーザ端末１５は、キーボードやマウスやディスプレイとともに、制御プログラムやデータを記憶するハードディスク部、制御プログラムに従って全体を制御するＣＰＵ部、インターネット通信を制御するモデムやＤＳＵなどを有するパーソナルコンピュータから構成されている。また、ユーザ端末１５にはインターネットを介して通信可能な携帯通信端末やケーブル・衛星などを利用した通信端末などを用いてもよい。
【００１９】
次に、図２を参照して主催サーバ１３の構成について説明する。
【００２０】
図２に示すように、主催サーバ１３は、インターネット１１を介して複数のユーザ端末との間で情報通信を行う通信処理部２１、当該サーバを制御するためのＯＳプログラムや当該オークションを制御する制御プログラムや制御データや管理データベースＤＢや個別ＵＲＬテーブルやホームページを記憶するハードディスクＨＤ２３、入力内容や制御状態を表示するディスプレイ２５、文字情報を入力するためのキーボード２７、内部に日時を計時するためのタイマを有するとともに当該サーバに設けられた各部を制御する制御部２９から構成されている。
【００２１】
次に、図２に示す管理データベースＤＢの構成について説明する。
【００２２】
管理データベースＤＢは、会員データベースＤＢ、商品データベースＤＢ、商品別入札管理データベースなどから構成されている。
【００２３】
会員データベースＤＢは、会員を特定するために割り付けた連番からなるユニークな会員番号ＩＤ、パスワード、会員の名前、メールアドレスなどから構成されている。
【００２４】
商品データベースＤＢは、当該オークションで取り扱っている商品の商品コード、商品の写真データ、仕様データ、当該商品のオークション開始日時、入札の開催期間日時、商品の最低販売点数、メーカ希望小売価格、一般店頭価格、商品の最低入札価格、入札可能な回数、宅配時の代引き手数料、配送料金などから構成されている。
【００２５】
商品別入札管理データベースは、個々の商品コードに対して、入札者のＩＤ、３回入札された場合のそれぞれの入札価格、入札日時、クレジットカードのカード番号などから構成されている。
【００２６】
以下、図３に示すシーケンス図、図４，図６に示すフローチャート、図５に示す入札情報の入力画面、図７に示す入札価格テーブル、図８に示す模式図、図９に示す商品詳細ページなどを参照して、主催サーバ１３の動作を中心に説明する。なお、各フローチャートは主催サーバ１３に設けられたハードディスクＨＤ２３に記憶された制御プログラムに従って制御部２９により動作するものである。
【００２７】
（１）オークション開始
まず、ステップＳ１０では、主催サーバ１３に設けられたハードディスクＨＤ２３に記憶された制御プログラムに従って、商品データベースＤＢから商品の最低販売点数Ｎが読み出され、残入札可能人数ｎａとしてＮを設定する。なお、残入札可能人数ｎａは、オークション開催期間中に商品詳細ページに表示される今現在の入札可能な人数であり、初期値は商品の最低販売点数Ｎである。
【００２８】
次いで、ステップＳ２０では、主催サーバ１３は上述した商品データベースＤＢから当該商品のオークション開始日時を読み出しておき、さらに、タイマから現在の日時を読み出し、現在の日時がオークション開始日時になったどうかを判断する。オークション開始日時になった場合には、ステップＳ３０に進む。
【００２９】
（２）ログイン処理
いま、例えばユーザの家庭に設けられたパーソナルコンピュータや携帯通信端末等のユーザ端末１５に電源が投入されＷＷＷブラウザが起動され、さらに、オークション会社のホームページを要求するためのＵＲＬ情報をＷＷＷブラウザに入力してインターネット１１への送信を開始すると、初めに、接続契約しているプロバイダの電話番号に回線が接続され、そして、プロバイダを経由して主催サーバ１３の通信処理部２１に接続される。さらに、ユーザ端末１５は、通信処理部２１にホームページ要求を送信する。
【００３０】
ここで、ステップＳ３０では、インターネット１１を介してユーザ端末１５と接続された主催サーバ１３は、ユーザ端末１５からのホームページ要求に応じて予め記憶されているホームページの情報を読み出してインターネット１１を介してユーザ端末１５に送信する。この結果、ユーザ端末１５には、ホームページのトップ画面が表示される。
【００３１】
そこで、ユーザ端末１５側において、ユーザが例えば「ノートブック」を落札したい場合に、「ノートブック」を指定するアイコンがクリックされたとする。この時、ユーザ端末１５から例えば「ノートブック」に関する商品詳細ページを要求するための商品詳細ページ要求（図示しない）が主催サーバ１３へ送信される。
【００３２】
ユーザ端末１５から商品詳細ページ要求を受信した主催サーバ１３は、ステップＳ４０では、ハードディスク２３に記憶されている商品データベースから「ノートブック」に関する商品情報を検索して読み出し、「ノートブック」に関する入札内容を提示するためのページを生成し、ユーザ端末１５へ送信する。
【００３３】
この結果、ユーザ端末１５には、図９に示すように、「ノートブック」に関する写真、商品説明、商品紹介、販売店のアフターサービス等の情報に加え、当該商品のメーカ希望小売価格、最低入札価格、最低販売点数、オークション開催期間などの情報が表示される。
【００３４】
さらに、ユーザ端末１５側において、ユーザがこの「ノートブック」を落札したい場合に、「入札する」ボタン３３と表示したアイコンがクリックされたとする。この時、ユーザ端末１５から入札手続きに移行するためにログインページ要求が主催サーバ１３へ送信される。
【００３５】
次いで、ステップＳ５０では、主催サーバ１３は、入札受付を示すログインページ要求を受信したかどうかを判断する。ユーザ端末１５からログインページ要求を受信した場合には、ステップＳ６０に進み、残入札可能人数ｎａ＝０かどうか判断する。残入札可能人数ｎａがある場合には、ステップＳ７０に進み、タイマから現在の日時を読み出し、現在の日時が入札の有効期限日時（締め切日）になったかどうかを判断する。残入札可能人数ｎａ＝０の場合、または、締め切日になった場合には、ステップＳ２１０に進む。
【００３６】
ステップＳ７０において、締め切日になっていない場合には、ステップＳ８０に進み、ＩＤ入力欄とパスワード欄からなりそれぞれの入力を促すログインページをユーザ端末１５に送信する。
【００３７】
この結果、ユーザ端末１５にはログインページが表示される。ここで、ユーザがキーボードを介してＩＤ入力欄とパスワード欄にそれぞれ入札者ＩＤとパスワードを入力し「送信」ボタンをクリックすると、ユーザ端末１５から主催サーバ１３に入札者ＩＤとパスワードが送信される。
【００３８】
次いで、ステップＳ９０では、主催サーバ１３は、入札者ＩＤとパスワードを受信する。さらに、ステップＳ１００では、主催サーバ１３は、受信した入札者ＩＤとパスワードに対して、会員データベースに記録されている入札者ＩＤとパスワードの対が一致するかどうかを認証する。そして、入札者ＩＤとパスワードが正しいことが確認できた場合には、ステップＳ１１０に進み、入札手続ページをユーザ端末１５に送信する。
【００３９】
この結果、ユーザ端末１５の表示画面には、図５に示すように、例えば「ノートブック」に関する商品の最低販売点数、メーカ希望小売価格、一般店頭価格、商品の最低入札価格、入札できる残人数ｎａ、入札可能な回数、宅配時の代引き手数料、配送料金、クレジットカードの番号、クレジットカードの有効期限、１回〜３回の入札価格などが記載された入札手続ページが表示される。
【００４０】
（３）入札手続
ここで、ユーザがキーボードを介して、クレジットカードの番号、クレジットカードの有効期限、１回〜３回の入札価格などを入力し「送信」３１をクリックすると、ユーザ端末１５から主催サーバ１３に決済方法を示すクレジットカードの番号とクレジットカードの有効期限、１回〜３回の入札価格などが送信される。
【００４１】
次いで、ステップＳ１２０では、主催サーバ１３は、決済方法を示すクレジットカードの番号とクレジットカードの有効期限、１回〜３回の入札価格を受信する。
【００４２】
ステップＳ１３０では、主催者サーバ１３は、当該ユーザの与信照会を要求するために与信照会要求情報としてクレジットカードの番号とクレジットカードの有効期限をクレジット会社に設けられたクレジット会社サーバ（図示しない）に対して送信する。このとき、クレジット会社サーバは、主催者サーバ１３から受信した与信照会要求情報に基づいて、当該サーバに設けられた利用者データベースに記憶されているクレジットカードの番号に対する有効期限や利用可否情報を参照し、該利用者の信用情報を照会した結果として利用可否情報を業者サーバ１５に対し送信する。この結果、主催サーバ１３は、当該ユーザがクレジットカードを利用できるか否かを示す利用可否情報をクレジット会社サーバから受信することができる。
【００４３】
さらに、ステップＳ１３０では、主催者サーバ１３は、クレジット会社サーバから受信した利用可否情報に基づいて、クレジットカードを利用可能な場合には、ステップＳ１４０に進む。一方、利用可否情報に基づいて、クレジットカードを利用不可能な場合には、ステップＳ４０に戻る。
【００４４】
次いで、ステップＳ１４０では、主催者サーバ１３は、ユーザ端末１５から受信した１回〜３回の入札価格、決済方法、入札者ＩＤ、タイマから読み出した入札日時を商品別入札管理データベースに登録する。
【００４５】
次いで、ステップＳ１５０では、主催者サーバ１３は、１人のユーザに関する登録処理が終了したので、残入札可能人数ｎａから１を引いた数をｎａとして代入する。ここで、ステップＳ１６０では、残入札可能人数ｎａが０になったかどうかを判断する。残入札可能人数ｎａが０になった場合には、ステップＳ２２０に進む。一方、残入札可能人数ｎａが０になっていない場合には、ステップＳ１７０に進む。
【００４６】
次いで、ステップＳ１７０では、主催者サーバ１３は、当該ユーザの入札を受け付けが完了したことを示す受付完了ページをユーザ端末１５に送信する。さらに、ステップＳ１８０では、主催者サーバ１３は、入札受付完了メールを生成して予め登録されている当該ユーザのメールアドレスに送信する。
【００４７】
次いで、ステップＳ１９０では、主催サーバ１３は上述した商品データベースＤＢから当該商品のオークション開催期間日時Ｔを読み出しておき、さらに、タイマから現在の日時を読み出し、現在の日時がオークション開催期間中かどうかを判断する。オークション開始期間中の場合には、ステップＳ４０に戻り上述した処理を繰り返す。
【００４８】
一方、オークション開始期間中を過ぎた場合には、ステップＳ２００に進み、主催者サーバ１３は、エラーページを生成して当該ユーザに送信し、処理を終了する。
【００４９】
（４）落札者確定処理
残入札可能人数ｎａ＝０の場合、または、締め切日になった場合には、ステップＳ２１０に進み、主催者サーバ１３は、入札が締め切られたことを示す入札締切ページを生成して当該ユーザに送信する。
【００５０】
次いで、ステップＳ２２０に示す落札者確定ルーチンに進む。ステップＳ３１０では、主催者サーバ１３は、商品別入札管理データベースに登録されている入札者ＩＤ毎の１回〜３回の入札価格、入札日時に基づいて、図７に示すような入札価格テーブルを生成する。このとき、入札価格テーブルに対して、入札価格が高い順に並べ替えを行い、処理フラグに未処理を示す「０」を設定する。この結果、入札価格テーブルは、図８（ａ）に示すように、高い価格から順に低い価格になるように並び替えられる。
【００５１】
次いで、ステップＳ３２０では、主催者サーバ１３は、入札価格テーブルにおいて、異なる入札者ＩＤ同士で同一価格があった場合は、入札日時を参照してその中で入札が早い順に並べ替える。次いで、ステップＳ３３０では、当該商品の最低販売点数Ｎを処理範囲数Ｎｘと設定する。なお、処理範囲数Ｎｘは、ＲＡＭ内に記憶され、入札価格テーブル内の処理対象となる入札件数を表す変数であり、後述するステップＳ３４０〜Ｓ３７０の処理が実行される毎に入札価格が低い方向に対象範囲が広がることを意味している。
【００５２】
次いで、ステップＳ３４０では、主催者サーバ１３は、当該範囲内Ｎｘで同一の入札者ＩＤのものが２以上ある場合、入札価格が最小のものの処理フラグを落札を示す「２」と設定し、入札価格が最小ではないものの処理フラグを落選を示す「１」と設定する。
【００５３】
次いで、ステップＳ３５０では、主催者サーバ１３は、当該範囲内Ｎｘにおいて、入札価格テーブルに設定された処理フラグが落札を示す「２」と設定されているものを計数して落札数Ｎｙとする。
【００５４】
次いで、ステップＳ３６０では、主催者サーバ１３は、当該商品の最低販売点数Ｎと落札数Ｎｙを比較し、Ｎ＞Ｎｙとなる関係が成立する場合には、落札数Ｎｙに対して商品が残っているためステップＳ３７０に進む。一方、Ｎ＞Ｎｙとなる関係が成立しない場合には、落札数Ｎｙが最低販売点数Ｎに到達したため本サブルーチンからメインルーチンに復帰する。
【００５５】
次いで、ステップＳ３７０では、主催者サーバ１３は、現在の処理範囲数Ｎｘから落札数Ｎｙを引いた数（Ｎｘ−Ｎｙ）に処理範囲数Ｎｘを加算し、これを新たなＮｘに設定し、ステップＳ３４０に戻る。すなわち、図８（ｂ）に示すように、数（Ｎｘ−Ｎｙ）だけ処理範囲数を拡大する。
【００５６】
このようにしてステップＳ３４０〜Ｓ３７０に示す処理を繰り返すことで、入札価格テーブル上に設けられた処理フラグを落札「２」と落選「１」に設定することができる。
【００５７】
（５）落札結果メール
ステップＳ３６０において、Ｎ＞Ｎｙとなる関係が成立しない場合には、落札数Ｎｙが最低販売点数Ｎに到達したため、メインルーチンのステップＳ２３０に復帰する。
【００５８】
ステップＳ２３０では、主催者サーバ１３は、入札価格テーブル上に設定された入札者ＩＤに基づいて、会員データベースＤＢに記憶されているユーザのメールアドレスを読み出し、さらに、入札価格テーブル上に設定されたこの入札者ＩＤに対応する処理フラグが落札「２」の場合には落札メール文章を生成し、処理フラグが落選「１」の場合には落選メール文章を生成し、当該メールアドレスに送信する。
【００５９】
この結果、落札者のユーザ端末１５には落札メール文章が送信され、落選者のユーザ端末１５には落選メール文章が送信されるので、ユーザは自身の当落を確認することができる。
【００６０】
ここで、本実施の形態における効果を説明する。
【００６１】
主催者サーバ１３は、データベースに登録されている入札者ＩＤと複数の異なる入札価格と入札日時に基づいて、最低販売点数に相当する上位の入札価格を優先して落札と決定し、落札者の入札者ＩＤが同一の場合には低い方のみを落札と決定し、落札した価格が同一の場合には入札日時が早い方を落札と決定するように落札処理を行う。
【００６２】
例えば、１回目の入札価格を底値で入札し、２回目の入札価格はおさえ価格で入札し、３回目の入札価格を上値で入札しておけば、同一入札者からの複数の入札が落札圏内に含まれている場合は、最も低い入札価格が落札となる。また、同一の入札価格の場合には、入札日時が早い方が落札となる。
【００６３】
この際、商品の仕入れ価格よりも最低入札価格を高く設定することができるので、落札価格が原価割れすることがない。
【００６４】
また、従来のように競り画面がなく、現在の最高入札金額を提示することがないので、従来のように刻々と上昇する最高入札価格を確認して入札を断念させることもないので、結果としてオークションでの売り上げを上昇させることができる。
【００６５】
従って、商品の購入意欲を削ぐことなく、販売店における商品の実売価格よりも低い価格で購入可能なサービスを提供することができるので、入札者の参加意欲の向上に寄与することがでる。
【００６６】
また、データベースへの登録が終了した場合に、残入札可能人数から１を引いて新たな残入札可能人数として計数しておき、計数された新たな残入札可能人数をホームページに提示するので、商品の購入意欲を向上することができ、入札者の参加意欲の向上に寄与することがでる。
【００６７】
【発明の効果】
請求項１記載の本発明によれば、サーバは、データベースに登録されている入札者ＩＤと複数の異なる入札価格と入札日時に基づいて、最低販売点数に相当する上位の入札価格を優先して落札と決定し、落札者の入札者ＩＤが同一の場合には低い方のみを落札と決定し、入札した価格が同一の場合には入札日時が早い方を落札と決定するように落札処理を行うので、商品の購入意欲を削ぐことなく、販売店における商品の実売価格よりも低い価格で購入可能なサービスを提供することができるので、入札者の参加意欲の向上に寄与することがでる。
【００６８】
請求項２記載の本発明によれば、データベースへの登録が終了した場合に、残入札可能人数から１を引いて新たな残入札可能人数として計数しておき、計数された新たな残入札可能人数をホームページに提示するので、商品の購入意欲を向上することができ、入札者の参加意欲の向上に寄与することがでる。
【図面の簡単な説明】
【図１】本発明の一実施の形態に係るオークションシステムの構成を示す図である。
【図２】主催サーバ１３の構成を説明するためのブロック図である。
【図３】主催サーバ１３の動作を説明するためのシーケンス図である。
【図４】主催サーバ１３の動作を説明するためのフローチャート（その１）である。
【図５】入札情報の入力画面を示す図である。
【図６】主催サーバ１３の動作を説明するためのフローチャート（その２）である。
【図７】入札価格と入札日時および入札者ＩＤが記憶されている入札価格テーブルである。
【図８】入札価格テーブルを高い価格から順に低い価格になるように並び替えたことを示す図（ａ）と、入札価格テーブル上の処理範囲を示す図（ｂ）である。
【図９】「コンピュータ」に関する商品詳細ページを示す図である。
【符号の説明】
１１  インターネット
１３  オークション主催サーバ
１５  ユーザ端末
２１  通信処理部
２３  ハードディスクＨＤ
２５  ディスプレイ
２７  キーボード
２９  制御部
【図１】
2005018267.tif 000003
【図２】
2005018267.tif 000004
【図３】
2005018267.tif 000005
【図４】
2005018267.tif 000006
【図５】
2005018267.tif 000007
【図６】
2005018267.tif 000008
【図７】
2005018267.tif 000009
【図８】
2005018267.tif 000010
【図９】
2005018267.tif 000011